(57)【要約】【課題】  カメラ付き携帯電話に、ＡＶ機器のリモコン機能をインストールし、前記ＡＶ機器を個別識別して操作することができるリモコン兼用携帯電話を提供する。【解決手段】  自身を識別する識別情報を画像に変換して表示部に表示することができるＡＶ機器と、遠隔制御情報を格納したリモコンサーバとに通信接続されて使用されるリモコン兼用携帯端末において、前記表示された画像を撮像する撮像部（３５）と、前記撮像された画像を識別情報に復元する再変換部（３１−２−８）と、前記リモコンサーバからＡＶ機器の遠隔制御情報を取得する通信部（３４）と、前記ＡＶ機器の遠隔制御情報、および前記識別情報を記憶する記憶部（３１−２）と、前記記憶された前記識別情報と前記機器制御情報を使ってリモコン信号を生成する遠隔制御信号生成部（３１−２−６）と、前記リモコン信号を送信する赤外線送信部（３７）とを備える。【選択図】      図２
2007174166.tif 000002
【特許請求の範囲】
【請求項１】
自身を識別する識別情報を有して、前記識別情報を画像に変換して表示部に表示させるとともに、赤外線による遠隔制御可能なＡＶ機器と、予めＡＶ機器の遠隔制御情報を格納したリモコンサーバとに通信接続されて使用されるリモコン兼用携帯端末において、
前記表示部に表示された前記画像を撮像する撮像部と、
前記撮像部で撮像された前記画像を前記識別情報に再変換する再変換部と、
格納された複数のプログラムから所定のプログラムを選択する操作部と、
前記選択されたプログラムを起動して実行する実行部と、
前記リモコンサーバにアクセスするための通信部と、
前記通信部のアクセスにより取得した前記ＡＶ機器の遠隔制御情報、および前記再変換部で再変換された前記識別情報を記憶する記憶部と、
前記記憶部に記憶された前記識別情報を前記機器制御情報に付加して前記ＡＶ機器の遠隔制御信号を生成する遠隔制御信号生成部と、
前記生成された遠隔制御信号を前記ＡＶ機器に送信する赤外線送信部と、
を備えたことを特徴とするリモコン兼用携帯端末。
【請求項２】
自身を識別する識別情報を有して、前記識別情報を画像に変換して表示部に表示させるとともに、赤外線による遠隔制御可能なＡＶ機器と、予めＡＶ機器の遠隔制御情報を格納したリモコンサーバとに通信接続されて使用されるリモコン兼用携帯端末におけるＡＶ機器の遠隔制御方法において、
前記表示部に表示された前記画像を撮像部により撮像するステップと、
前記撮像部で撮像された前記画像を再変換部により前記識別情報に再変換するステップと、
予め用意された複数のプログラムから所定のプログラムを選択するステップと、
前記選択されたプログラムを実行部により起動して実行するステップと、
前記リモコンサーバにアクセスするステップと、
前記アクセスにより取得した前記ＡＶ機器の遠隔制御情報、および前記再変換部で再変換された前記識別情報を記憶部に記憶するステップと、
前記記憶された識別情報を前記機器制御情報に付加して前記ＡＶ機器の遠隔制御信号を生成するステップと、
前記生成された遠隔制御信号を赤外線送信部から前記ＡＶ機器に送信するステップと、
を有することを特徴とするリモコン兼用携帯端末におけるＡＶ機器の遠隔制御方法。
【発明の詳細な説明】
【技術分野】
【０００１】
本発明は、携帯電話等の携帯端末を利用したＡＶ機器の赤外線リモコンに係わり、特に個別機器を識別して制御するリモコン機能の設定に関するものである。
【背景技術】
【０００２】
現在、携帯電話の赤外線ポートを利用することで、携帯電話からＡＶ機器に付属したリモコンと同様な操作が可能になっている。
携帯電話は身につけていることが多いため、機器付属リモコンを使うより、いちいち探したりしないで、身につけた携帯電話を使ってＡＶ機器を操作する方が便利な場合も多い。さらに、テレビ視聴中に電話がかかってきた時には、自動的にテレビの音量を下げたり後で続きを見るために自動的に録画を開始したりするような対応も可能になるなど利便性が増すことは多い。（特許文献１参照。）
このような理由から、携帯電話によるリモコンは、ますます増えていくものと思われる。
【０００３】
一般に、ＡＶ機器のリモコンは、そのＡＶ機器のメーカおよび機器種類によってコマンドのデータコードが決まるようになっており、機器を個別に識別しているわけではない。
このため、同一メーカ、同種類のＡＶ機器が隣接して置かれていると、２台同時に動いてしまうなど意図しない動作を引き起こす可能性がある。
また、携帯電話を常に持ち歩いている人がほとんどであるため、前述した自動リモコン機能を設定した状態のまま、自宅以外の家などでたまたま電話着信があると、勝手にテレビの音声を消してしまうことが発生し得る。
さらに、イベント展示や販売店などで、多くの機器を並べて、勝手に操作されると困るような画像表示あるいは展示をしているような場合、携帯電話のリモコン機能を使ったいたずらへの防止策も必要となる。
【０００４】
このような混乱を避けるには、ＡＶ機器を個別に識別して制御すればよい。すなわち、ＡＶ機器に機器固有の識別情報（以下、機器ＩＤという。）を持たせ、リモコンは前記機器ＩＤを含むコマンドを送るようにして、ＡＶ機器は自らの機器ＩＤと一致したコマンドだけを受け付けて制御すればよい。
すでに一部リモコンでは、ＡＶ機器に機器ＩＤ用のスイッチをつけてあらかじめＡ、Ｂ、Ｃなどと設定しておき、複数台のＡＶ機器を識別して個々に制御可能としたものもある。
また、これら機器ＩＤには、例えばＤＶＤレコーダでは、ユーザには非公開ではあるが、著作権保護対策として機器固有の識別コードがある。また、修理等の保守管理用に固有識別コード（シリアル番号）を持つＡＶ機器も存在する。
【０００５】
携帯電話を前記したような機器識別リモコンとして使うには、携帯電話側において、ＡＶ機器のリモコンソフトとコマンドコードを入手するとともに、ＡＶ機器から固有の機器ＩＤを入手してインストール（以下、「設定」と記す）することが必要となる。
携帯電話は、インターネット対応機能、赤外線通信機能、プログラム実行機能などを有し、既に、インターネット上のサーバからコマンドコードをダウンロードして赤外線リモコン機能を設定するとともに、ネット上の番組表から番組を選択して予約録画サービスするものまで現れるなど、パソコンなみの機能を持っている。
一方、ＡＶ機器では、インターネット、ＩＣカード、赤外線双方向通信などに対応する機器はまだ少数派で、通常映像・音声以外の出力は持たない。
このため、携帯電話に機器識別リモコン機能を設定するには、ＡＶ機器から機器ＩＤを取得するのが難しく、例えば手動入力を必要とする。
【特許文献１】特開２００４−１７９８６２号公報（段落５５−５６、第３図）
【発明の開示】
【発明が解決しようとする課題】
【０００６】
機器ＩＤの入力だけであれば、手動入力しても問題は少ないが、携帯電話に高度なリモコン機能を導入するのに必要なデータは機器ＩＤにとどまらない。個々の携帯電話を識別して、リモコン機能を制限するなどきめ細かく管理するような場合には、ＡＶ機器とやり取りするデータ量がさらに増える。そして、これらのデータを、所定の手順に従って、間違いなく処理する必要があり、手動入力に代わる機器ＩＤの伝送設定方法が期待される。
【０００７】
そこで、本発明は、上記のような問題点を解消するためになされたもので、ＡＶ機器から携帯電話等の携帯端末へ伝送するデータが多くても、手順が複雑でも、間違えることなくデータ伝送することができて、携帯端末にリモコン機能を設定して、個別機器を識別したうえで操作制限をかけることが可能なリモコン兼用携帯端末およびＡＶ機器の遠隔制御方法を提供することを目的とする。
【課題を解決するための手段】
【０００８】
本願発明における第１の発明は、自身を識別する識別情報を有して、前記識別情報を画像に変換して表示部に表示させるとともに、赤外線による遠隔制御可能なＡＶ機器と、予めＡＶ機器の遠隔制御情報を格納したリモコンサーバとに通信接続されて使用されるリモコン兼用携帯端末において、前記表示部に表示された前記画像を撮像する撮像部（カメラ部３５）と、前記撮像部で撮像された前記画像を前記識別情報に再変換する再変換部（画像／文字変換部３１−２−８）と、格納された複数のプログラムから所定のプログラムを選択する操作部（操作部３２）と、前記選択されたプログラムを起動して実行する実行部（制御部３１）と、前記リモコンサーバにアクセスするための通信部（通信部３４）と、前記通信部のアクセスにより取得した前記ＡＶ機器の遠隔制御情報、および前記再変換部で再変換された前記識別情報を記憶する記憶部（メモリ３１−２）と、前記記憶部に記憶された前記識別情報を前記機器制御情報に付加して前記ＡＶ機器の遠隔制御信号を生成する遠隔制御信号生成部（リモコン信号生成部３１−２−６）と、前記生成された遠隔制御信号を前記ＡＶ機器に送信する赤外線送信部（赤外線送信部３７）とを備えたことを特徴とするリモコン兼用携帯端末を提供する。
第２の発明は、自身を識別する識別情報を有して、前記識別情報を画像に変換して表示部に表示させるとともに、赤外線による遠隔制御可能なＡＶ機器と、予めＡＶ機器の遠隔制御情報を格納したリモコンサーバとに通信接続されて使用されるリモコン兼用携帯端末におけるＡＶ機器の遠隔制御方法において、前記表示部に表示された前記画像を撮像部により撮像するステップ（ステップＳ５）と、前記撮像部で撮像された前記画像を再変換部により前記識別情報に再変換するステップ（ステップＳ５）と、予め用意された複数のプログラムから所定のプログラムを選択するステップ（ステップＳ３）と、前記選択されたプログラムを実行部により起動して実行するステップ（ステップＳ３）と、前記リモコンサーバにアクセスするステップ（ステップＳ６）と、前記アクセスにより取得した前記ＡＶ機器の遠隔制御情報、および前記再変換部で再変換された前記識別情報を記憶部に記憶するステップ（ステップＳ５）と、前記記憶された識別情報を前記機器制御情報に付加して前記ＡＶ機器の遠隔制御信号を生成するステップ（ステップＳ２１）と、前記生成された遠隔制御信号を赤外線送信部から前記ＡＶ機器に送信するステップ（ステップＳ２２）と、を有することを特徴とするリモコン兼用携帯端末におけるＡＶ機器の遠隔制御方法を提供する。
【発明の効果】
【０００９】
本発明によれば、ＡＶ機器の機器ＩＤを携帯電話等の携帯端末に伝送して、携帯端末による個別ＡＶ機器を識別したリモコン操作が可能となる。さらに、テレビモニタや、映像出力機能、および携帯電話に付属する赤外ポート、カメラといったすでに存在するインフラが活用できるため、特別なハードの追加を必要としないで安価にシステムを構築できる。
【発明を実施するための最良の形態】
【００１０】
以下、本発明を実施するための最良の形態につき、好ましい実施例を用いて説明する。
まず、本実施例の概要を述べる。本実施例は、ＡＶ機器に備えられた電気的に読み出し可能な機器ＩＤを含む機器情報を２次元バーコード等の画像に変換して、この画像をテレビモニタに表示させ、携帯電話のカメラで撮影して取り込み、この画像をもとの機器情報に復元することにより、機器情報の伝送を行うものである。また、この携帯電話へのリモコン機能導入作業は、ユーザが介在して所定の手順に従って行われるが、この作業手順を携帯電話の表示部とテレビモニタに各々表示して指示案内するとともに、データ伝送ではハンドシェイク（確認応答）機能を持たせて、簡単で確実な通信を可能とする。
なお、ＡＶ機器は、録画再生機器、テレビモニタなど映像出力を持つ機器または画像表示可能な機器を対象としている。また文字情報を画像に変換するコードには、携帯電話のカメラでインターネット上のアドレス（以下、ＵＲＬと記す）を表す２次元バーコードを撮像して、そのＵＲＬのページをアクセスするのによく使われているＱＲコードがある。
【実施例１】
【００１１】
以下、ＡＶ機器が録画機器のように画像表示部を持たない場合の実施例について、図１〜図４を用いて説明する。図１は、携帯電話にリモコン機能を設定するシステムの構成を示す図である。図２は、携帯電話にリモコン機能を設定するシステムの主要構成部のブロック図である。図３は、リモコン設定手順を示すシーケンス図である。図４は、リモコン動作を示す説明図で、（Ａ）は携帯電話のリモコン送信動作を示すフローチャート、（Ｂ）はリモコンコマンドの構成例、（Ｃ）はＡＶ機器のリモコン受信動作を示すフローチャートを示す。
【００１２】
ＡＶ機器が録画機器である場合の携帯電話へのリモコン機能導入システムは、図１に示すように、ＡＶ機器１、テレビモニタ２、携帯電話３、リモコンサーバ４から構成されている。
ＡＶ機器１は、本実施例ではＤＶＤプレーヤを想定しており、図２に示すように、操作部１２、表示部１３、映像入力部１４、映像出力部１５、光ディスクドライブであるＤＶＤ／ＣＤ部１６、赤外線受信部１７、機器固有情報の格納された機器ＩＤ記憶部１８、およびこのＡＶ機器全体を制御する制御部１１から構成されている。
この制御部１１は、ＣＰＵ１１−１、ＲＯＭ、ＲＡＭ、不揮発性メモリなどによるメモリ１１−２から構成され、メモリのアドレス空間には、プログラム領域１１−２−ａ、およびデータ領域１１−２−ｂが配置されている。
プログラム領域１１−２−ａには、メニューによりプログラムを指定して起動する起動用アプリケーション（ＡＰＬとも記す。）１１−２−１、リモコンによる機器制御を行うリモコン制御アプリケーション１１−２−２、リモコン設定アプリケーション１１−２−３などのアプリケーションソフト、および操作表示部１１−２−５、リモコン信号解析部１１−２−６、映像入出力処理部１１−２−７、文字／画像変換部１１−２−８などのサブルーチン群が格納されている。前記リモコン制御アプリケーション１１−２−２は、リモコンモードにより、標準リモコンと機器識別リモコンを切り替えて使うことができる。また、前記リモコン設定アプリケーション１１−２−３は、所定手順に従って、携帯電話、ＡＶ機器間で互にデータ交換をして、携帯電話にリモコン機能を設定するアプリケーションソフトである。
またデータ領域１１−２−ｂには、ＡＶ機器情報１１−２−９、サーバＵＲＬ１１−２−１０、各種データ１１−２−１１、映像ビデオＲＡＭ１１−２−１２、またインターフェース機能を持つ入出力ポート１１−２−１３などが配置されている。
なお、機器ＩＤは、メーカが機器に文字情報からなる固有ＩＤを持たせるることを想定しているが、例えば製品番号を手動入力しても、電気的に読み出し可能で、機器自身を認識できればよい。また、ＡＶ機器のアプリケーションは、最初から製品に設定しておくか、本実施例のようなＤＶＤプレーヤの場合には、予め用意されているプログラムＣＤからプログラムを読み出して設定してもよい。さらに、デジタル放送からダウンロードする、携帯電話でリモコンプログラムのダウンロード用サーバから取得して赤外リモコンで一方的に送るなどの方法も考えられる。
テレビモニタ２は、ＡＶ機器１の映像出力部１５から出力された映像信号を表示する。
また、携帯電話３は、図２に示すように、操作部３２、表示部３３、携帯電話本来の機能である通信部３４、カメラ部３５、赤外線送信部３７、およびこの携帯電話全体を制御する制御部３１から構成されている。
この制御部１１は、ＣＰＵ３１−１、ＲＯＭ、ＲＡＭ、不揮発性メモリなどによるメモリ３１−２から構成され、メモリのアドレス空間には、プログラム領域３１−２−ａ、およびデータ領域３１−２−ｂが配置されている。
プログラム領域３１−２−ａには、メニューによりプログラムを指定して起動する起動用アプリケーション３１−２−１、ＵＲＬアクセスアプリケーション３１−２−２、リモコン設定アプリケーション３１−２−３、リモコンアプリケーション３１−２−４などのアプリケーションソフト、および操作表示部１１−２−５、リモコン信号生成部３１−２−６、通信制御部３１−２−７、画像／文字変換部３１−２−８などのサブルーチン群が格納されている。前記ＵＲＬアクセスアプリケーション３１−２−２は、ＵＲＬを２次元バーコード化した画像を携帯電話のカメラ部で撮像して、その２次元バーコード画像からＵＲＬをデコードし、そのＵＲＬのサーバにアクセスして、必要なプログラムをダウンロードするためのアプリケーションソフトである。
またデータ領域３１−２−ｂには、ＡＶ機器情報・ＩＤ３１−２−９、リモコンコマンド３１−２−１０、各種データ３１−２−１１、ビデオＲＡＭ３１−２−１２、またインターフェース機能を持つ入出力ポート１１−２−１３などが配置されている。
リモコンサーバ４は、例えば携帯電話会社によりインターネット上に設置されたサーバで、ＵＲＬアクセスアプリケーション、リモコン設定アプリケーション、各種ＡＶ機器のリモコンアプリケーション、およびリモコンのコマンドコードなどリモコン兼用携帯電話に必要な情報が格納され、ダウンロード可能となっている。
【００１３】
次に、携帯電話に機器識別リモコン機能を設定する動作について、図３のシーケンス図を併せ参照して説明する。
まず、ユーザは、携帯電話３の起動用アプリケーション３１−２−１により、予め用意されているＵＲＬアクセスアプリケーション３１−２−２を起動する（ステップＳ１）。ただし、ＵＲＬアクセスアプリケーションが設定されていない場合は、前もって入手して設定しておく必要がある。
またユーザは、ＡＶ機器１の起動用アプリケーション１１−２−１により、予め用意されているリモコン設定アプリケーション１１−２−３を起動する（ステップＳ１１）。以上により、設定作業が開始される。
そして、ＡＶ機器１のリモコン設定アプリケーション１１−２−３は、予めデータ領域１１−２−ｂに記憶されているリモコンサーバのＵＲＬ１１−２−１０を文字／画像変換部１１−２−８により２次元バーコード画像に変換して、操作表示部１１−２−５により生成した「画像を撮像する」ようにという指示とともに、映像ビデオＲＡＭ１１−２−１２、映像出力部１５を介して、テレビモニタ２に出力して表示する（ステップＳ１２）。
ユーザがその指示に従って、携帯電話のカメラ部３５で前記２次元バーコード画像を撮像すると、前記ＵＲＬアクセスアプリケーション３１−２−２は、画像／文字変換部３１−２−８により画像を前記ＵＲＬに再変換して、前記通信部３４を介して前記ＵＲＬのリモコンサーバ４にアクセスするとともに、携帯電話３の表示部３３に「リモコン設定アプリケーションをダウンロードして起動する」ための指示を表示する（ステップＳ２）。
そこで、ユーザは前記指示に従い、リモコンサーバ４からその携帯電話のリモコン設定アプリケーションをダウンロードする。そして操作部３２を操作して、前記ダウンロードしたリモコン設定アプリケーション３１−２−３を選択して、起動すると、前記リモコン設定アプリケーション３１−２−３は、携帯電話３の表示部３３に「赤外ポートをＡＶ機器に向けて送信する」ための指示を出す（ステップＳ３）。
ユーザはその指示に従って、携帯電話の操作部３２を操作して、赤外線送信部３７を介して、リモコン設定アプリケーション３１−２−３の起動情報をＡＶ機器に送信する（ステップＳ４）。
ＡＶ機器１のリモコン設定アプリケーション１１−２−３は、赤外線受信部１７を介して、リモコン信号解析部１１−２−６により前記起動情報を受信して、携帯電話３のリモコン設定アプリケーション３１−２−３の起動を確認する（ステップＳ１４）。すると、リモコン設定アプリケーション１１−２−３は、予めデータ領域１１−２−ｂに記憶されているＡＶ機器のメーカ名、機種名などリモコンのコマンドコードの選択に必要なＡＶ機器情報１１−２−９、および機器ＩＤ記憶部１８から入出力ポート１１−２−１３を介して読み出したＡＶ機器の機器ＩＤを文字／画像変換部１１−２−８により２次元バーコード画像に変換して、前記変換した２次元バーコード画像を、操作表示部１１−２−５によリ作成された「画像を撮像する」ための指示情報とともに、映像出力部１５から出力して、テレビモニタ２に表示する（ステップＳ１５）。
なお、この機器ＩＤは、機密を必要とするような場合には、必要十分な量を切り出すなどしてから、元のコードが解読できないように変調をかけて使用するとよい。
ユーザがモニタに表示された指示に従ってＡＶ機器１の前記２次元バーコード画像を撮像すると、携帯電話３のリモコン設定アプリケーション３１−２−２は、画像／文字変換部３１−２−８により、撮像した画像からメーカ名、機種名などのＡＶ機器情報、および機器ＩＤに再変換するとともに、通信部３４を介して前記リモコンサーバ４にアクセスして、携帯電話３の表示部３２に「リモコンソフトおよびコマンドコードをダウンロードする」ための指示を出す（ステップＳ５）。
ユーザはこの指示に従って、メーカ名、機種名などの情報から、対応するリモコンアプリケーションおよびコマンドコードをダウンロードし、前記リモコンアプリケーション、コマンドコード、すでに取得している機器ＩＤを、リモコン３１−２−４、リモコンコマンド３１−２−１０、ＡＶ機器情報・ＩＤ３１−２−９の領域に格納するとともに、携帯電話３の表示部３３に「赤外ポートをＡＶ機器に向けて送信する」ための指示を出す（ステップＳ６）。
ユーザはこの指示に従って、携帯電話側のリモコンアプリケーションの起動準備完了情報を、ＡＶ機器１に送信すると、リモコン設定アプリケーション３１−２−３は、前記送信とともに、「リモコンアプリケーションを起動する」ための指示を出して、終了する。（ステップＳ７）。
なお、この時、受信したＡＶ機器情報や機器ＩＤを添付して送信すると、ＡＶ機器側で伝送データのチェックができて、確実な伝送が可能となる。
ユーザが前記指示に従って携帯電話のリモコンアプリケーションを起動すると、リモコンアプリケーション３１−２−４は、初期設定として、携帯電話のＡＶ機器を識別したリモコン動作を可能とするとともに、リモコン設定アプリケーション３１−２−３を削除して、終了する（ステップＳ８）。
また、ＡＶ機器１のリモコン設定アプリケーション１１−２−３は、ステップＳ７による携帯電話のリモコンアプリケーション準備完了情報を受けて（ステップＳ１７）、機器識別可能なリモコン制御アプリケーション１１−２−２を起動、赤外線コマンドの待機状態として、自らの携帯リモコン設定アプリケーション１１−２−３を終了する（ステップＳ１８）。
以上により、一連の携帯電話へのリモコン機能の設定作業が終了し、携帯電話からＡＶ機器を指定したリモコン動作が可能となる。
また、以上のシーケンスにおいては、データ受信時には確認のステップを入れたことで、限られた用途ではあるが、擬似的なハンドシェイク通信が可能となっている。
【００１４】
次に、図４により、ＡＶ機器を識別したリモコンの動作を説明する。
まず、ユーザが携帯電話３の起動用アプリケーション３１−２−１により、リモコンアプリケーション３１−２−４を起動する。この時、ＡＶ機器が複数ある場合は、制御しようとするＡＶ機器を指定する。そして、操作部３２のリモコン操作キーを入力すると、リモコンアプリケーション３１−２−４は、リモコン信号生成部３１−２−６により、図４（Ａ）に示すように、入力されたキーを解析し対応するリモコン信号を生成して（ステップＳ２１）、赤外線送信部３７から操作コマンドを出力する（ステップＳ２２）。この時のコマンドは、図４（Ｂ）に示すように前記指定されたＡＶ機器の機器ＩＤと操作コマンドから構成されている。
赤外線コマンドの待機状態にあるＡＶ機器側では、このコマンドを受けたリモコン制御アプリケーション１１−２−２は、リモコン信号解析部１１−２−６により、図４（Ｃ）に示すように、まず機器識別モードに設定されているかどうかをチェックして（ステップＳ２３）、機器識別モードの場合は、機器ＩＤが自らのＩＤと一致しているかどうか比較し（ステップＳ２４）、一致していない場合、またはコマンドに機器ＩＤが存在しない場合は何もしないで終了する。Ｓ２３で機器識別モードでない場合、またＳ２４で機器ＩＤが自らを指している場合は、コマンドを解析して（ステップＳ２６）、リモコン操作指示に従った制御を行って、赤外線コマンドの待機状態に戻る（ステップＳ２７）。
【００１５】
以上のように、実施例１によれば、ＡＶ機器の機器ＩＤの携帯電話への伝送が可能となり、携帯電話によるＡＶ機器を個別識別したリモコン操作が可能となる。
さらに、ＡＶ機器側のデータは、画像に変換され、携帯機器のカメラで撮影することにより伝送が行なわれるので、携帯電話に必要なデータのデータ量が多い場合にも、間違えずに入力することが可能となる。また、テレビモニタおよび携帯電話の表示部に指示案内を表示しながら手順を進めるので、作業が容易となる。
さらに、これら携帯機器識別リモコン機能の設定時には、テレビモニタや、携帯電話に付属する赤外ポート、カメラといった既に存在するインフラが活用できるため、特別なハードの追加を必要としないで安価にシステムを構築できる。
【実施例２】
【００１６】
以上実施例１では、ＡＶ機器にテレビモニタのような大きな画像表示部を持たない場合のシステムについて述べたが、ＡＶ機器自身がテレビモニタである場合の実施例について、図５、図６を用いて説明する。図５は、携帯電話にリモコン機能を設定するシステムの構成を示す図である。図６は、前記リモコン機能を設定するシステムの主要構成部のブロック図である。
携帯電話へのリモコン機能設定システムは、図５に示すように、ＡＶ機器（テレビモニタ）１、携帯電話３、リモコンサーバ４から構成されている。
このうち、携帯電話３、およびリモコンサーバ４は、前記実施例１のＡＶ機器が録画機器である場合と全く同一である。
また、ＡＶ機器（テレビモニタ）１は、図６に示すように、操作部１２、モニタ表示部１３、映像入力部１４、映像出力部１５、赤外線受信部１７、機器ＩＤ記憶部１８、チュナー部１９、およびこのＡＶ機器全体を制御する制御部１１から構成されている。
この実施例２のＡＶ機器（テレビモニタ）１の構成は、モニタ表示部１３、チュナー部１９を除き、実施例１のＡＶ機器（録画機器）の構成と同一である。また、チュナー部１９で受信した映像信号は、映像入力部１４を介して、制御部１１に入力され、また制御部１１から出力される映像は、映像出力部１５を介して、直接モニタ表示部１３に表示される。
ここで図２（実施例１）と図６（実施例２）を比較すると、図６のＡＶ機器１のモニタ表示部１３とチュナー部１９は、図２の外部のテレビモニタ３に相当する。このように置き換えて考えると、実施例１と実施例２では、構成は異なるものの、携帯電話へのリモコン機能の設定、およびリモコン動作については、ＡＶ機器（テレビモニタ）もＡＶ機器（録画装置）全く同じ取り扱いができる。そこで、設定、動作の説明は省略する。
【００１７】
（応用例）
次に、以上述べた実施例を応用して、さらに高度なリモコン制御を可能とする応用例について図７〜図９を用いて説明する。図７は、本発明におけるデータ伝送の手順を示すシーケンス図で、（Ａ）はＡＶ機器から携帯電話への通信、（Ｂ）は携帯電話からＡＶ機器への通信を示す。図８は、本応用例における、携帯電話とＡＶ機器とで情報の共有をする場合のリモコン設定手順を示すシーケンス図である。図９は、本応用例における、携帯電話とＡＶ機器とで相互の情報を共有する場合のリモコン動作を示す説明図で、（Ａ）は携帯電話のリモコン送信動作を示すフローチャート、（Ｂ）はリモコンコマンドの構成例、（Ｃ）はＡＶ機器のリモコン受信動作を示すフローチャートを示す。
以上述べた実施例では、図７（Ａ）に示す手順により、ＡＶ機器の情報（例えば、機器のＩＤ、メーカ名、種類など）を携帯電話に伝送するものであったが、応用例では、携帯電話の情報をＡＶ機器に伝送する図７（Ｂ）に示す手順を追加して、ＡＶ機器と携帯電話とで任意の情報の共有を可能として、きめ細かなリモコン制御を可能としたものである。
以下、情報を共有する例として、相互に互いのＩＤを伝送する場合の構成および動作を説明し、その後共有情報を変えた時の各種応用例について述べる。
【００１８】
応用例におけるシステムの構成は、基本的には実施例１、実施例２と同一である。違いは、ＡＶ機器または携帯電話にあらかじめ記憶されている情報内容、導入時のリモコン設定アプリケーション、および導入後のリモコンアプリケーションの内容にある。
すなわち、携帯電話は、読み出し可能な携帯電話個別情報（例えば、製造番号、電話番号など。以下、携帯ＩＤという。）を有しており、リモコン設定アプリケーションおよびリモコンアプリケーションは、後述する携帯ＩＤに対応したアプリケーションソフトとなっているものとする。
【００１９】
次に、相互に互いのＩＤを伝送する場合の携帯電話へのリモコン設定動作について、図８のシーケンス図により、実施例１と異なるステップについて説明する。
携帯電話、およびＡＶ機器のリモコン設定動作の手順は、携帯ＩＤをＡＶ機器に転送する手順を追加するため、図３に示す実施例１のステップＳ４、Ｓ５、Ｓ１４、Ｓ１５を、それぞれ、図８の下記ステップＳ４４、Ｓ４５、Ｓ５４、Ｓ５５に置き換えたものである。
ステップＳ４４では、前記携帯電話のリモコン設定アプリケーション３１−２−３が起動すると、携帯電話３の表示部３２に「赤外ポートをＡＶ機器に向けて送信する」ための指示が出るので、ユーザはこの指示に従って、携帯ＩＤ、および前記リモコン設定アプリケーション起動情報を送信する（ステップＳ４４）。
ステップＳ５４では、ＡＶ機器１のリモコン設定アプリケーション１１−２−３は、リモコン信号解析部１１−２−５により、赤外線受信部１７を介して、これを受信して、携帯電話３のリモコン設定アプリケーションの起動を確認するとともに、受信した携帯ＩＤを各種データ１１−２−１１のリモコンリストに登録する（ステップＳ５４）。
ステップＳ５５では、さらにＡＶ機器のリモコン設定アプリケーション１１−２−３は、予め記憶されているＡＶ機器情報１１−２−９、受信した携帯ＩＤ、および機器ＩＤ記憶部１８から読み出した機器ＩＤを文字／画像変換部１１−２−８により、２次元バーコード画像に変換して、前記変換した２次元バーコード画像を、操作表示部１１−２−５によリ作成された「画像を撮像する」ための指示情報とともに、映像出力部１５から出力して、テレビモニタ２に表示する（ステップＳ５５）。
ステップＳ４５では、ユーザが指示に従って、ＡＶ機器１の前記２次元バーコード画像を撮像すると、携帯電話３のリモコン設定アプリケーション３１−２−２は、画像／文字変換部３１−２−８を使って、撮像した画像からＡＶ機器情報、携帯ＩＤ、および機器ＩＤに再変換するとともに、前記リモコンサーバ４をアクセスして、携帯電話３の表示部３２に「リモコンアプリケーションおよびコマンドコードをダウンロードする」ための指示を出す（ステップＳ４５）。
前記ステップＳ４４、Ｓ５４は、実施例１のステップＳ４、Ｓ１４による赤外線通信情報に携帯ＩＤを追加したもので、前記ステップＳ５５、Ｓ４５は、実施例１のステップＳ１５、Ｓ５の画像通信情報に携帯ＩＤの確認情報の伝送を追加したものである。
以上により、携帯電話とＡＶ機器間で、相互にＩＤを交換する場合のリモコンアプリケーションの設定が終了する。任意の情報を共有するには、機器ＩＤ、携帯ＩＤを任意の情報に置き換えればよい。
以下、応用例として、各種共有情報を使ったリモコン動作例について述べる。
【００２０】
第１の応用例として、機器ＩＤと携帯ＩＤを共有して、携帯ＩＤをＡＶ機器に登録して、制御できる携帯電話を限定する場合のリモコン動作について、図９により説明する。
ユーザが携帯電話のリモコンアプリケーション３１−２−４を起動して、操作部３２によりリモコンを操作すると、リモコンアプリケーション３１−２−４は、リモコン信号生成部３１−２−６により、図９（Ａ）に示すように、操作表示部３１−２−５により入力された操作キーを解析し対応するリモコン信号を生成して（ステップＳ２１）、赤外線送信部３７から操作コマンドを出力する（ステップＳ２２）。この時のコマンドは、図９（Ｂ）に示すように、指定されたＡＶ機器の機器ＩＤ、自らの携帯ＩＤ、および操作コマンドから構成されている。
このコマンドを受けたＡＶ機器のリモコン制御アプリケーション１１−２−２は、リモコン信号解析部１１−２−６により、図９（Ｃ）に示すように、ＡＶ機器が機器識別モードに設定されているかどうかをチェックして（ステップＳ２３）、機器識別モードの場合は機器ＩＤが自らのＩＤと一致しているかどうかを比較し（ステップＳ２４）、一致していない場合は何もしないで終了する。一致している場合は、さらに携帯ＩＤが前記各種データ１１−２−１１のリモコンリストに登録されているかどうかをチェックして、登録されていない場合は何もしないで終了する（ステップＳ２５）。
識別モードでない場合、また機器ＩＤが自らを示し、かつ携帯ＩＤが前記リモコンリストに登録されている場合には、コマンドを解析して（ステップＳ２６）、リモコン操作に対応した制御を行って、赤外線コマンドの待機状態に戻る（ステップＳ２７）。
以上のように、ＡＶ機器側で携帯ＩＤを記憶しておいて、携帯電話を認識して制御可否を判定するようにすれば、ＡＶ機器を制御できる携帯電話を限定することができる。
【００２１】
第２の応用例として、携帯電話の機種名をＡＶ機器に送信することにより、携帯電話に合わせた動作が可能となる例について述べる。
ＡＶ機器に携帯電話の機種名があれば、制御を行う携帯電話を具体的に把握できるため、携帯電話の機種に合わせてＡＶ機器側で制御方法を変えることができる。
例えば、テレビモニタを携帯電話で撮影する際、携帯電話に搭載したカメラの解像度の違いによって判別できないこともあるため、携帯電話にあわせた解像度の画像を出力する。
【００２２】
第３の応用例として、携帯ＩＤそのものを使うわけではないが、暗証番号を共有して、認証の信頼性を上げる例について述べる。
前もって、標準リモコンによりＡＶ機器に暗証番号を設定しておき、リモコン設定時には暗証番号を要求する。そして、携帯電話側で暗証番号を入力することにより、リモコン設定が可能となるようにして、セキュリティの信頼性を上げることができる。
【００２３】
同じく第３の応用例を拡張した第４の応用例として、グループＩＤを共有して、携帯電話を制御可能なコマンドによりグループ分けする例について述べる。
前もって、標準リモコンによりＡＶ機器に、それぞれ制御可能なコマンドに対応させたグループＩＤを複数設定しておき、リモコン設定アプリケーションにより、どのグループに属するリモコンかを選択して設定することにより、携帯電話の制御体系をグループＩＤによりグループ別に管理する。
例えば、ＡＶ機器の操作に詳しいグループに割り当てたグループＩＤ「Ａ１」では全ての制御を許可するのに対し、ＡＶ機器の操作に詳しくなくコンテンツ鑑賞が主目的のグループに割り当てたグループＩＤ「Ｂ２」では編集機能等の制御許可を与えないといった管理が可能となる。
【００２４】
さらに第４の応用例の変形として、前記グループＩＤの変更処理を可能とするグループＩＤについて述べる。
グループＩＤのグループ単位で制御を許可したり、不許可に変えたりすることで、目的ごとにＡＶ機器の使用方法を変更できる。
例えば、視聴会のようなイベントにおいて、ＡＶ機器側で「４５１Ｂ２」といったグループＩＤを入力してグループＩＤ「Ｂ２」のグループを設定しておき、携帯電話側で「Ｂ２」の暗証番号を入力して双方で登録する。イベント終了後には、最初にＡＶ機器側で設定した者しか知らない「４５１Ｂ２」のグループＩＤを使ってグループＩＤ「Ｂ２」のグループによる制御を不許可に変更する。
【００２５】
以上各種応用例として述べたように、ＡＶ機器と携帯電話は、互いに情報を共有できるので、携帯電話情報により制御可能な機器を限定したり、グループ分けするなど、リモコン機能のきめ細かな管理が可能になる。
【００２６】
なお、上記実施例では、携帯電話を赤外リモコンとするものとして説明したが、同様機能（赤外線出力、ネット対応、カメラ）を持つＰＤＡ（携帯情報端末）などの携帯端末を使っても、全く同様な手順で、同様な赤外リモコンが構成できる。
【図面の簡単な説明】
【００２７】
【図１】本願発明の実施例における、ＡＶ機器が録画機器である場合の携帯電話にリモコン機能を設定するシステムの構成を示す図である。
【図２】本願発明の実施例における、ＡＶ機器が録画機器である場合の携帯電話にリモコン機能を設定するシステムの主要構成部のブロック図である。
【図３】本願発明の実施例におけるリモコン設定手順を示すシーケンス図である。
【図４】本願発明の実施例におけるリモコン動作を示す説明図で、（Ａ）は携帯電話のリモコン送信動作を示すフローチャート、（Ｂ）はリモコンコマンドの構成例、（Ｃ）はＡＶ機器のリモコン受信動作を示すフローチャートを示す。
【図５】本願発明の実施例における、ＡＶ機器がテレビモニタである場合の携帯電話にリモコン機能を設定するシステムの構成を示す図である。
【図６】本願発明の実施例における、ＡＶ機器がテレビモニタである場合の携帯電話にリモコン機能を設定するシステムの主要構成部のブロック図である。
【図７】本願発明におけるデータ伝送の手順を示すシーケンス図で、（Ａ）はＡＶ機器から携帯電話への通信、（Ｂ）は携帯電話からＡＶ機器への通信を示す。
【図８】本願発明の応用例における、携帯電話とＡＶ機器とで情報の共有をする場合のリモコン設定手順を示すシーケンス図である。
【図９】本願発明の応用例における、携帯電話とＡＶ機器とで相互の情報を共有する場合のリモコン動作を示す説明図で、（Ａ）は携帯電話のリモコン送信動作を示すフローチャート、（Ｂ）はリモコンコマンドの構成例、（Ｃ）はＡＶ機器のリモコン受信動作を示すフローチャートを示す。
【符号の説明】
【００２８】
１  ＡＶ機器（録画機器）、２  テレビモニタ、３  携帯電話、４  リモコンサーバ、１１  制御部（ＡＶ機器）、１１−１  ＣＰＵ、１１−２  メモリ、１１−２−ａ  プログラム領域、１１−２−ｂ  データ領域、１２  操作部（ＡＶ機器）、１３  表示部（ＡＶ機器）、１４  映像入力部、１５  映像出力部、１６  ＤＶＤ／ＣＤ部、１７  赤外線受信部、１８  機器ＩＤ記憶部、１１−２−１  起動用アプリケーション、１１−２−２  リモコン制御アプリケーション、１１−２−３  リモコン設定アプリケーション、１−２−５  操作表示部、１１−２−６  リモコン信号解析部、１１−２−７  映像入出力処理部、１１−２−８  文字／画像変換部、１１−２−９  ＡＶ機器情報、１１−２−１０  サーバＵＲＬ、１１−２−１１  各種データ、１１−２−１２  映像ビデオＲＡＭ、１１−２−１３  入出力ポート、３１  制御部（携帯電話）、３１−１  ＣＰＵ、３１−２  メモリ、３１−２−ａ  プログラム領域、３１−２−ｂ  データ領域、３２  操作部（携帯電話）、３３  表示部（携帯電話）、３４  通信部、３５  カメラ部、３７  赤外線送信部、３１−２−１  起動用アプリケーション、３１−２−２  ＵＲＬアクセスアプリケーション、３１−２−３  リモコン設定アプリケーション、３１−２−３  リモコンアプリケーション、３１−２−５  操作表示部、３１−２−６  リモコン信号生成部、３１−２−７  通信制御部、３１−２−８  画像／文字変換部、３１−２−９  ＡＶ機器情報、３１−２−１０  リモコンコマンド、３１−２−１１  各種データ、３１−２−１２  ビデオＲＡＭ、３１−２−１３  入出力ポート
【図１】
2007174166.tif 000003
【図２】
2007174166.tif 000004
【図３】
2007174166.tif 000005
【図４】
2007174166.tif 000006
【図５】
2007174166.tif 000007
【図６】
2007174166.tif 000008
【図７】
2007174166.tif 000009
【図８】
2007174166.tif 000010
【図９】
2007174166.tif 000011